(57)【特許請求の範囲】
【請求項１】
水洗便器の排水路の内部と連通して外部に開口した掃除口を備えた便器の掃除口蓋であって、前記掃除口の内径寸法より大きく掃除口の外側から差し込んで前記排水路の内側面に係止する差込部と、前記掃除口の内径寸法より大きく前記掃除口の外側端面に当接シールして掃除口を塞ぐシール部と、前記掃除口の内径寸法より小さく前記差込部とシール部との間を繋いでその内部が前記排水路と非連通の筒状の連繋部とを有し弾性部材で形成されたパッキン部材と、
前記連繋部内に配設され前記差込部とシール部とに係止し、前記差込部とシール部とが近接するように移動させて前記掃除口に挟持固定するための挟持固定部材とを備えたことを特徴とする便器の掃除口蓋。
【請求項２】
前記連繋部に自在に伸縮できる蛇腹部を設けたことを特徴とする請求項２に記載の便器の掃除口蓋。
【請求項３】
前記挟持固定部材が、前記差込部の内部に着脱自在に配設され前記係止部を補強する第１補強部材と、前記シール部の前記掃除口の外側端面に当接する部分を外側から押圧する押圧部を有する第２補強部材と、前記第１補強部材と第２補強部材とを連結し且つ近接・離間するための連結部材とを備えたことを特徴とする請求項１または２に記載の便器の掃除口蓋。
【請求項４】
前記連結部材が雄ネジ部と頭部を有し、前記第１補強部材が前記雄螺旋部と螺合する雌ネジ部を有し、前記第２補強部材が前記雄ネジ部が貫通し前記頭部が係止する貫通孔を有することを特徴とする請求項３に記載の便器の掃除口蓋。
【請求項５】
前記シール部の前記掃除口の外側端面に当接する部分に環状の突出部を設けたことを特徴とする請求項３または４に記載の便器の掃除口蓋。
【請求項６】
前記差込部の前記排水路の内側面に当接する部分に複数の突起を設けたことを特徴とする請求項３乃至５のいずれかに記載の便器の掃除口蓋。
【発明の詳細な説明】
【０００１】
【発明の属する技術分野】
本発明は掃除口付の便器の掃除口を塞ぐ蓋構造に関する。
【０００２】
【従来の技術】
従来、水洗便器においてはきわめて多量のペーパーあるいは紙おむつ、トイレットペーパーの芯などの異物を投入された場合や、誤ってペンや携帯電話などの異物を便器ボウル部内へ落とされた場合などに、そのまま便器洗浄を行われてしまうと、便器のトラップ内に異物が詰まってしまうという不具合が発生することがある。そのままの状況で更に数回続けて便器洗浄を行うと、汚水が便器ボウル部へ逆流し、ボウル部からオーバーフローしてしまうためその後の使用は不可能となる。
【０００３】
このように水洗便器のトラップ内に異物が詰まってしまい、その後の便器洗浄ができなくなった場合には、詰まった異物を便器ボウル部側からラバーカップなどで除去するか、それでも除去できない場合には、水洗便器内の水を全て抜いた後で水洗便器自体を床から取り外して、トラップ内に詰まった異物を取り除くしかなく、非常に煩わしい作業を必要とする。
【０００４】
また、上述したような水洗便器への異物のつまりに対して、ラバーカップなどで対処できないような場合においても、便器を取り外すことなくトラップ内の異物を除去するための方策として、図１０に示すようにトラップ２内に連通する掃除口３を設けた水洗便器１というものが用いられている。
通常は便器の掃除口３は掃除口蓋４によりふさがれているが、便器内に異物つまりが発生した場合には、掃除口蓋４を便器より取り外し、便器内の異物を除去できるようにしている。
【０００５】
図１０は従来の掃除口付便器を示し、図１１はトラップ２に連通する掃除口３を塞ぐ掃除口蓋４の側断面図、図１２は掃除口蓋４の正面図を示している。１３は給水口、２５は排水口である。
掃除口蓋４は、円周上に均等に３ヵ所の穴４２を開設された円盤状の蓋本体４１と、リング状形状のパッキン５と、３組の長方形形状をした頭部を有するボルト（Ｔ型ボルト）７、ナット８、および座金９の固定部材により構成される。便器の掃除口３にはその円筒部３３の外径よりも外側に広がるフランジ部３１を有しており、該フランジ部３１の円周上には前記蓋本体４１に開設された穴４２に対応する位置にＵ字形の切欠き部３４が３ヵ所開設されている。
そして、その固定構造は３本のボルト（Ｔ型ボルト）７をフランジ部３１の裏側から、フランジ部３１のＵ字状切欠き部３４およびふた本体４１に開設された３ヵ所の穴４２に挿入し、フランジ部３１、パッキン５、蓋本体４１を、他端から座金９を介してナット８で３ヵ所を締結し、パッキン５にてシールしている。
【０００６】
【発明が解決しようとする課題】
便器本体１からの掃除口３の出代Ｌの寸法は、便器使用者の衣服が接触することなどを考えれば極力小さく取るのが好ましいが、上記従来例のような構造では掃除口部の出代Ｌは最小でも、フランジ部３１、パッキン５、蓋本体４１の厚み分およびフランジ部４１裏に固定部材のための作業空間分Ｓが必要となるためあまり小さくはできない。
また、掃除口蓋４の開閉作業に関してもパッキン５のシール性を考えると３カ所以上で均等に締結する必要があり開閉の作業効率が悪い。
【０００７】
本発明は前記課題を解決するためになされたもので、便器本体からの掃除口の出代の寸法を小さくでき、掃除口蓋の開閉の作業効率が向上する便器の掃除口蓋を提供することを目的とする。
【０００８】
【課題を解決するための手段及び作用・効果】
本発明は水洗便器の排水路の内部と連通して外部に開口した掃除口を備えた便器の掃除口蓋であって、前記掃除口の内径寸法より大きく掃除口の外側から差し込んで前記排水路の内側面に係止する差込部と、前記掃除口の内径寸法より大きく前記掃除口の外側端面に当接シールして掃除口を塞ぐシール部と、前記掃除口の内径寸法より小さく前記差込部とシール部との間を繋いでその内部が前記排水路と非連通の筒状の連繋部とを有し弾性部材で形成されたパッキン部材と、前記連繋部内に配設され前記差込部とシール部とに係止し、前記差込部とシール部とが近接するように移動させて前記掃除口を挟持固定するための挟持固定部材とを備えたことを特徴とする。前記のような構成とすることにより、パッキン部材を変形させて掃除口の外側から差込部を排水路内に挿入でき、挿入後挟持固定部材により差込部とシール部とが相互に近づくように移動させて掃除口の内外周縁部を把持して固定され、シール部により掃除口を閉塞シールされる。また、挟持固定部材を排水路と非連通の筒状の連繋部内に配設することにより、挟持固定部材が汚水・汚物に接触せず腐食することがなく耐久性が向上する。
【０００９】
また、本発明の好ましい態様では、前記連繋部に自在に伸縮できる蛇腹部を設けるようにする。
そうすることにより前記連繋部が変形しやすく前記差込部の掃除口の外部から排水路内への挿入が容易に行える。
【００１０】
また、本発明の好ましい態様では、前記挟持固定部材が、前記差込部の内部に着脱自在に配設され前記差込部を補強する第１補強部材と、前記シール部の前記掃除口の外側端面に当接する部分を外側から押圧する押圧部を有する第２補強部材と、前記第１補強部材と第２補強部材とを連結し且つ近接・離間するための連結部材とを備えるようにする。
そうすることにより、前記第１補強部材と、第２補強部材を介して弾性部材で形成されたパッキン部材が掃除口を強固で確実にシールすることができる。
【００１１】
また、本発明の好ましい態様では、前記連結部材が雄ネジ部と頭部を有し、前記第１補強部材が前記雄ネジ部と螺合する雌ネジ部を有し、前記第２補強部材が前記雄ネジ部が貫通し前記頭部が係止する貫通孔を有するようにする。
そうすることにより、前記貫通孔から雄ネジ部を挿入して第１補強部材の雌ネジ部に螺合、前進して前記差込部とシール部とが相互に近接する。
【００１２】
また、本発明の好ましい態様では、前記シール部の前記掃除口の外側端面と当接する部分に環状の突出部を設けるようにする。
そうすることにより、前記突出部に押圧力が作用して圧縮変形して掃除口の外側周縁部の端面をシールする。
【００１３】
また、本発明の好ましい態様では、前記差込部の前記排水路の内側面に当接する部分に複数の突起を設けるようにする。
そうすることにより、突起が前記内側面に当接し、この内側面が直線状の形状をなしていない場合でも差込部が確実に係止する。
【００１４】
【発明の実施の形態】
本発明において、便器は水洗便器であり、壁掛け式、床置式等どちらにおいても適用できる。
図１は本発明の一実施例を示す断面図であり、床置き式の水洗便器である。図１に示す水洗便器１の洗浄のしくみは以下のようになる。給水口１３へロータンクやフラッシュバルブなど（ともに図示せず）の給水装置などから給水を行い、洗浄水は、導水路１２を経てトラップ２を通過して排水口２５により汚水として排水される。
水洗便器１のトラップ２は、便器ボウル部１１の排水流出口２１から便器前方へ向かい、便器ボウル部１１の途中高さまで立ち上がって最高位部２２に至り、その後降下屈曲させて排水口２５へ連通形成するように構成される。
【００１５】
掃除口３は、トラップの最高位部２２より下流側に設置されており、便器正面からトラップ２内部に詰まった異物等の場所を発見し回収するためのものである。掃除口３の位置は実施例に示すような便器正面に限定されず、トラップ２に連通する部位であれば便器の側面や背面であってもよい。また、トラップ２も実施例の形態に限定されるものではない。
掃除口３をトラップ２の前記最高位部２２よりも下流側に設けることで、便器の非洗浄時においては、掃除口３のある箇所まで便器の溜水ＲＦは来ていない。そのため、非洗浄時に掃除口蓋４を開けることがあっても、溜水ＲＦが掃除口３より流出して床面などを汚すおそれはない。
【００１６】
図２は掃除口蓋４の側断面図であり、図３は掃除口蓋４の正面図である。
掃除口蓋４は、キャップ４３、パッキン５、止め金具６、座金９、ネジ７１により構成される。キャップ４３は略椀形状であり、中央に凹部を形成するとともにネジ７１を挿通するための穴４２を有する。
【００１７】
図４はパッキン５の背面図であり、図５はパッキン５の断面図である。図２、３、４、５において、パッキン５はＥＰＤＭなどの合成ゴムによって製造され、円形のシール部５２と、シール部５２に連続した連繋部５７と、この連繋部５７に連続した略長方形の差込部５１が袋状に一体形成されている。そして、連繋部５７の中途には蛇腹部５４を設けている。止め金具６が挿入される差込部５１は内部が止め金具６の長辺側より大きく、また掃除口３のシール面３２に当接されるシール部５２の外縁部には円周方向に凸部５３を形成している。掃除口３に取付けられた状態で、トラップ内面２３と接触する当たり部５５には突起５６が一体に４カ所突設されている。
【００１８】
図６は止め金具６の側断面図であり、図７は止め金具６の正面図、図８は折り曲げ部材６１の正面図、図９の（ａ）はナット６５の正面図、図９の（ｂ）はナット６５の側断面図である。止め金具６は、長辺側が掃除口３の内径よりも長く、中央部６３を折り曲げ突出させた折り曲げ部材６１と、長辺側が折り曲げ部材６１とほぼ同じ長さの補強部材６２とを溶接などの方法で一体化している。さらに、折り曲げ部材６１の中央部には六角形穴６３１が開設されている。ナット６５は六角形穴６３１よりも外周がやや小さくかつ、外周６５１には折り曲げ部材６１の肉厚よりも大きな間隔をおいて２ヵ所に、ナット６５の軸方向と垂直に溝部６５２が形成されている。止め金具６の折り曲げ部材６１の六角形穴６３１には、ナット６５が挿入され、折り曲げ部材６１の表裏から折り曲げ部材６１を挟むようにナット６５の溝部６５２に対してＥ形止め輪６６で保持されている。ナット６５を保持しているＥ形止め輪６６の間隔は折り曲げ部材６１の肉厚よりも大きく、かつナット６５の外周は折り曲げ部材６１の六角形穴６３１よりもやや小さいため、ナット６５は六角形穴６３１に対しての回転は規制されるが、ナット６５は折り曲げ部材６１に対し図６に示すようにある程度の傾斜角度αで傾斜可能となっている。
また、パッキン５の差込部５１に挿入されてパッキン５と接触する面６７には面取りを施しさらに軟質塩ビなどでのコーティング６８を施しているため、止め金具６が締め付けられた状態でもパッキン５を傷つけないようになっている。
【００１９】
掃除口３への掃除口蓋４の取付は以下のように行う。
パッキン５の差込部５１に止め金具６をはめ込み、パッキン５と止め金具６とが一体となった状態で差込部５１を掃除口３から挿入する。このとき、パッキン５には蛇腹部５４が形成されているため差込部５１を斜めに傾けることができるので挿入が容易である。止め金具６の長辺側の長さは掃除口３の内径よりも大きいため、パッキン５を便器トラップ内面２３に引っかけることができる。次に、パッキン５のシール部５２を掃除口３のシール面３２と当接させて、キャップ４３をパッキン５の上からかぶせ、座金９を介して、蓋本体の中央部に開設された穴４２にネジ７１を通して止め金具６のネジ部６４に締結する。
【００２０】
止め金具６は、折り曲げ部材の中央部６３を折り曲げた形状としているのでキャップ４３との距離が近く、ネジ７１とネジ部６４との締結が容易になる。また、折り曲げ部材６１と補強部材６２とを一体化することで、ネジの締結に対して止め金具６自体の強度を補強している。止め金具６のネジ部６４は、折り曲げ部材６１とは別体のナット６５を傾き方向にある程度傾斜可能に取付けて形成しているため、便器トラップ内面２３の止め金具当たり面２４と掃除口３のシール面３２とが傾いた状態でもネジ７１がナット６５とスムーズに締結できるようになっており、便器の製造誤差を吸収することが可能である。
【００２１】
また、パッキン５のシール部５２の外縁部には円周方向に凸部５３を形成しているが、これは掃除口３のシール面３２に平面部で当接させるよりも凸部５３で当接させる方が、小さなネジ締込みトルクでもより確実にシールすることができるからある。また、パッキン５のトラップ内面への当たり部５５には、突起５６を設けている。これにより、ネジ７１を締付けてパッキン５が便器トラップ内面２３に押し付けられても、まずこの突起５６が変形するので、止め金具６との当たり部５５に過剰に力が加わることを防止できる。
【００２２】
上記の掃除口蓋４を掃除口３に固定する方法では、掃除口蓋４の止め金具６とネジ７１との締結部は便器のトラップ２内部にあるため、従来例よりも掃除口３自体の出代Ｌを小さくすることができる。
また、便器のトラップ２内部に締結部材があっても、締結部材である止め金具６とネジ７１とがパッキン５の袋構造内に収められることによって、便器トラップ２内の汚水とは直接触れることがないため締結部材の腐食を抑えることが可能である。
また、パッキン５に設けた蛇腹部５４により、掃除口蓋の取付／取り外し作業が容易になる。
また、固定は便器掃除口ふたの中心部１点のみでよいため、掃除口蓋の開閉作業も簡略化できる。
【００２３】
【発明の効果】
本発明によれば、便器本体からの掃除口の出代の寸法を小さくでき、掃除口蓋の開閉の作業効率が向上する便器の掃除口蓋を提供することができる。
【図面の簡単な説明】
【図１】本発明の実施例の掃除口付水洗便器の断面図。
【図２】図１の水洗便器の掃除口蓋の側断面図。
【図３】図１の水洗便器の掃除口蓋の正面図。
【図４】パッキン５の背面図。
【図５】パッキン５の断面図。
【図６】止め金具６の側断面図。
【図７】止め金具６の正面図。
【図８】折り曲げ部材６１の正面図。
【図９】ナット６５の正面図（ａ）と側断面図（ｂ）
【図１０】従来の掃除口付水洗便器の断面図
【図１１】従来の掃除口蓋の側断面図
【図１２】従来の掃除口蓋の正面図
【符号の説明】
１…水洗便器
１１…便器ボウル部
１２…導水路
１３…給水口
ＲＦ…溜水
２…トラップ
２１…流出口
２２…最高位部
２３…トラップ内面
２４…止め金具当たり面
２５…排水口
３…掃除口
３１…フランジ部
３２…シール面
３３…円筒部
３４…Ｕ字状切欠き
Ｌ…掃除口出代
Ｓ…作業空間
４…掃除口蓋
４１…蓋本体
４２…穴
４３…キャップ
５…パッキン
５１…差込部
５２…シール部
５３…凸部
５４…蛇腹部
５５…陶器当たり部
５６…突起
５７…連繋部
６…止め金具
６１…折り曲げ部材
６２…補強部材
６３…中央部
６３１…六角形穴
６４…ネジ部
６５…ナット
６５１…外周
６５２…溝部
６６…Ｅ形止め輪
６７…パッキン当たり面
６８…コーティング
７…ボルト
７１…ネジ
８…ナット
９…座金
【図１】
0004756435.tif 000002
【図２】
0004756435.tif 000003
【図３】
0004756435.tif 000004
【図４】
0004756435.tif 000005
【図５】
0004756435.tif 000006
【図６】
0004756435.tif 000007
【図７】
0004756435.tif 000008
【図８】
0004756435.tif 000009
【図９】
0004756435.tif 000010
【図１０】
0004756435.tif 000011
【図１１】
0004756435.tif 000012
【図１２】
0004756435.tif 000013